(57)【要約】【課題】保護カバーと無線キーボードとを整合した電子装置用支持装置を提供する。【解決手段】電子装置用支持装置２は、座部２０、無線キーボード２１、枢接台２２、および保護カバー２３を備える。無線キーボード２１は、座部２０の一側面に設けられる。枢接台２２は、座部２０に回転可能に結合され、スライドレール２２１を有する。保護カバー２３は、一方の面にポータブル電子装置Ｔを収容する収容空間２３１が設けられ、スライドレール２２１と対応する位置にスライド部２３２を有し、摺動可能に枢接台２２に設けられる。枢接台２２を回転させて座部２０に沿って置く。これにより、保護カバー２３は、座部２０を覆い、スライド部２３２とスライドレール２２１とを介して無線キーボード２１を覆う位置まで摺動することができる。これにより、ポータブル電子装置Ｔの操作及び携行の利便性を向上させる。【選択図】図２
2012256305.tif 000002
【特許請求の範囲】
【請求項１】
座部と、
前記座部の一側面に設けられる無線キーボードと、
前記座部の一側面から前記座部を離れる位置まで回転可能に前記座部に結合され、前記無線キーボード側に位置し、少なくとも一つのスライドレールが設けられる枢接台と、
一方の面に開口部を有し、電子装置を収容するための収容空間が形成され、前記一方の面と反対側の面に前記スライドレールに対応し前記スライドレールと互いに摺動可能に嵌合するスライド部が設けられ、前記枢接台上に摺動可能に設置され、前記枢接台が前記座部の前記無線キーボード側の面に沿って置かれるとき、前記座部の前記無線キーボード側の面を覆い、前記スライド部が前記スライドレールを摺動することにより前記無線キーボードを覆う保護カバーと、
を備えることを特徴とする電子装置用支持装置。
【請求項２】
さらに、少なくとも一つの枢接部材を備え、
前記枢接部材は、一端に前記枢接台の前記座部と結合する側に形成される穴を貫通する軸が設けられ、前記座部の前記無線キーボード側の面に固定されることを特徴とする請求項１記載の電子装置用支持装置。
【請求項３】
前記保護カバーは、前記一方の面と反対側の面に支持部材が設けられ、
前記枢接台が前記座部から離れる位置まで回転したとき、前記支持部材の前記保護カバーから離れる一端は、前記座部の前記無線キーボード側の面に当接することを特徴とする請求項２記載の電子装置用支持装置。
【請求項４】
前記座部の前記支持部材に対応する位置に、固定溝が設けられ、
前記枢接台が前記座部から離れる位置まで回転したとき、前記支持部材の前記保護カバーから離れる一端は、前記固定溝に挿入されることを特徴とする請求項３記載の電子装置用支持装置。
【発明の詳細な説明】
【技術分野】
【０００１】
本発明は、電子装置用支持装置に関し、詳しくは、保護カバーと無線キーボードとを整合した電子装置用支持装置に関する。
【背景技術】
【０００２】
近年、移動式ブロードバンド接続技術の発展およびマイクロコンピュータ技術の進歩により、各種のオンライン接続及びマルチメディア機能を備えたポータブル電子装置が次から次へと市場に出回っている。そのうち、一般的なポータブル電子装置は、スマートフォン（Ｓｍａｒｔ  Ｐｈｏｎｅ）と携帯型情報端末（Ｐｅｒｓｏｎａｌ  Ｄｉｇｉｔａｌ  Ａｓｓｉｓｔａｎｔ，  ＰＤＡ）のほか、タブレット形パソコン（Ｔａｂｌｅｔ  ＰＣ）と電子書籍端末（Ｅ−ｂｏｏｋ  Ｒｅａｄｅｒ）などの製品がある。これらの移動式端末装置がパソコンにくらべれば、携行性がより便利のほか、機能もかなり豊富である。撮像、音楽再生、ワープロ以外に、ネットワークにアクセスしてＥメールの受発信、ダウンロードおよびストリーミングメディア（ｓｔｒｅａｍｉｎｇ  ｍｅｄｉａ）の再生など、使用者の様々なニーズに応えることができる。
【０００３】
以下、ポータブル電子装置は、タブレット形パソコンなどサイズが大きい装置を指す。使用者がポータブル電子装置を操作し、Ｅメール作成またはテキスト編集のとき、まず、ポータブル電子装置のＥメール応用ソフトウエアまたはテキスト編集ソフトウエアを起動する。それらのソフトウエアは、自動的に仮想キーボードのアプリケーションを実行し、ポ―タブル電子装置の表示スクリーンに仮想キーボード（ｖｉｒｔｕａｌ  ｋｅｙｂｏａｒｄ）が表示される。引き続き、使用者は仮想キーボード上の仮想キーをタッチし、仮想キーに対応するキャラクターまたはコマンドを入力することができる。
【０００４】
しかし、仮想キーボードは、実体キーボードのように使用者の指に弾性力がフィードバックされず、かつキー同士が実体の間隔が設けられていない。そのため、使用者はキータッチの手応えがなく、指の触覚により、各キーの相対関係を知ることができない。このように、使用者はスクリーンをじっとみなければ、必要なキャラクターやコマンドを入力することができない。よって、パソコンまたはノートパソコンの操作感覚とは、かなりの差が存在するため、多くの使用者にとって馴染みにくい。さらに、使用者はタブレット形パソコンのスクリーンをじっと見なければ、仮想キーボードをタッチし、入力作業ができない。このように、入力速度が低下するばかりでなく、多くの作業場所のニーズに対応することができない。たとえば、使用者が会議の中で、タブレット形パソコンを利用し、議事録を作成するとき、会議のプレゼンテーションの内容（たとえば、スライドなど）を見ながら、入力作業を同時に行なうことができず、不便である。
【０００５】
前述問題を解決するため、蓋体と無線キーボードとを兼ね合わせた支持装置が開発されている。図１に示すように、支持装置１の一側に開口部１０を有し、かつ内側向きに収容空間１１が凹状に設けられる。支持装置１の内部で収容空間１１に対応する位置に、一組の無線キーボード１２が設置される。無線キーボード１２は、それぞれ異なるキャラクターまたはコマンドを表す複数のキーを有する。このほか、無線キーボード１２は、無線伝送の能力を備えている。通常、ブルートゥースモジュール（図示しない）を無線伝送の手段として、無線キーボード１２に内設される。支持装置１の一側に収容溝１３が凹状に設けられる。収容溝１３の長さは、ポータブル電子装置１４を収容するため、ポータブル電子装置１４の長さより少し大きい。このほか、支持装置１は、収容溝１３と隣接する位置に支持部材１５を有する。支持部材１５を立つことにより、支持面１５０を構成する。さらに、支持部材１５は、支持装置１の一側面に沿って置かれることができる（図示しない）。
【０００６】
使用者がポータブル電子装置１４を収容溝１３に挿入し、ポータブル電子装置１４の背面を支持面１５０に当接させた後、ポータブル電子装置１４は、傾斜して支持装置１上に立たせることができる。この状態において、無線キーボード１２とポータブル電子装置１４との間に、所定の角度が維持される。このとき、使用者はポータブル電子装置１４のブルートゥース機能を起動するのみで、ポータブル電子装置１４と無線キーボード１２とがブルートゥース伝送方式によって、オンライン接続が確立される。これにより、無線キーボード１２をポータブル電子装置１４の入力装置として利用することができ、ポータブル電子装置１４上の仮想キーボードを使用する必要はない。無線キーボード１２は、実体のキーを備えているため、使用者が入力するとき、ポータブル電子装置１４の仮想キーボードをじっと見る必要はない。操作の感覚は、一般のパソコンおよびノートパソコンと同じである。操作の利便性を有効的に向上させることができる。
なお、電子装置用支持装置は例えば、特許文献１に開示されている。
【先行技術文献】
【特許文献】
【０００７】
【特許文献１】特開２００２−１６４６７９号公報
【発明の概要】
【発明が解決しようとする課題】
【０００８】
しかし、使用者が無線キーボード１２を使用しないとき、タッチ方式で単純にポータブル電子装置１４を操作したい場合、前述支持装置１よりポータブル電子装置１４を引出し、かつ支持部材１５を支持装置１の一側面に沿って置かなければ、ふたたびポータブル電子装置１４を支持装置１に平置きすることができない。使用者は片手でポータブル電子装置１４を掴み、もう一方の手で支持装置１を掴む状況では、支持部材１５を折り畳むことが難しい。使用の面は、便利と言えない。さらに、使用者が無線キーボード１２を使用したいときは、ふたたび支持装置１の中に平置きしていたポータブル電子装置１４を取り出す必要がある。そのほか、支持部材１５を調節するために余分な時間を費やさなければ、ポータブル電子装置１４と支持装置１とを組み立てることができない。このように、使用者に余分な時間をかけるほか、使用者による支持装置１使用の意欲を低下させる恐れがあり、理想的な設計と言えない。
【０００９】
上記問題を解決するため、本発明は、ポータブル電子装置を取り外す必要がなく、ポータブル電子装置の操作方式を簡単に替えることができ、支持装置の支え方式を迅速に変更し、ポータブル電子装置と支持装置との使用と携行利便性を向上させることが可能な電子装置用支持装置を提供することを目的とする。
【課題を解決するための手段】
【００１０】
上記目的を達成するため、本発明による電子装置用支持装置は、主に座部と、無線キーボードと、枢接台と、保護カバーとを備える。そのうち、無線キーボードは、座部の一側面に設けられる。枢接台は、座部の無線キーボード側に位置し、座部の一側面から座部から離れる位置まで回転可能に座部に結合され、少なくとも一つのスライドレールを有する。保護カバーは、一方の面に開口部を有し、ポータブル電子装置を収容する収容空間が形成される。ポータブル電子装置は、無線方式により無線キーボードとオンライン接続することができる。保護カバーは、一方の面と反対側の面に、スライドレールに対応するスライド部を有する。スライド部は、スライドレールを摺動することができる。これにより、保護カバーを摺動可能に枢接台上に設置する。
【００１１】
これにより、使用者は、枢接台と保護カバーとを座部から離れる位置まで回転させ、枢接台と保護カバーとを立つ状態にし、ポータブル電子装置を座部に立たせておき、ノートパソコンを操作する方式でポータブル電子装置と無線キーボードとを使用することができる。これに対して、使用者が無線キーボードを使用しないとき、保護カバーと枢接台とを回転させ、ふたたび保護カバーを摺動し、保護カバーを無線キーボードの位置に被せる。これにより、支持装置とポータブル電子装置とは一体化した平板状を形成し、ポータブル電子装置の操作及び携行の利便性をより有効的に向上させることができる。
【００１２】
本発明による電子装置用支持装置は、少なくとも一つの枢接部材を含む。枢接部材は、一端に軸が伸びるように設けられる。さらに、枢接台は、座部と結合する側に穴が形成される。軸は、枢設穴を貫通し、枢接部材を座部の無線キーボード側の面に固定し、枢接台を座部に回転可能に結合することができる。
【００１３】
本発明による電子装置用支持装置は、保護カバーの一方の面と反対側の面に、支持部材が設けられる。枢接台を回転させ、枢接台が座部から離れる位置まで回転したとき、支持部材が保護カバーから離れる一端は、前記座部の無線キーボード側の面に当接することができる。
【００１４】
本発明による電子装置用支持装置は、座部の支持部材に対応する位置に、固定溝が設けられている。枢接台が座部から離れる位置まで回転したとき、支持部材が保護カバーから離れる一端は、固定溝に挿入され、座部の無線キーボード側の面に当接し、保護カバーの立つ状態を維持することができる。
【図面の簡単な説明】
【００１５】
【図１】ポータブル電子装置と従来の支持装置の斜視図である。
【図２】本発明の一実施例による電子装置用支持装置の斜視図である。
【図３】本発明の一実施例による電子装置用支持装置の局所拡大態様図である。
【図４】本発明の一実施例による電子装置用支持装置とポータブル電子装置の斜視図である。
【図５】本発明の一実施例による電子装置用支持装置の使用態様図その一である。
【図６】本発明の一実施例による電子装置用支持装置の使用態様図その二である。
【図７】本発明の一実施例による電子装置用支持装置の使用態様図その三である。
【発明を実施するための形態】
【００１６】
以下、本発明の一実施例による電子装置用支持装置を図面に基づいて説明する。
（一実施例）
図２に示すように、電子装置用支持装置２は、座部２０と、無線キーボード２１と、枢接台２２と、保護カバー２３とを備える。そのうち、無線キーボード２１は、座部２０の一側面に設けられている。電子装置用支持装置２はさらに、２つの枢接部材２４を含む。図３に示すように、枢接部材２４の一端に、軸２４０が伸びるように形成される。このほか、枢接台２２は、座部２０と結合する側の対応する両端に、それぞれ枢設穴２２０（図３はそのうちの一つの枢設穴２２０のみを示す）が設けられる。軸２４０は、枢設穴２２０に貫通する。かつ枢接部材２４は、座部２０の無線キーボード２１側の面に固定されている。本実施例において、枢接部材２４は、リベットで座部２０の無線キーボード２１側の面に固定される。ただし、本発明はこれに限らない。
【００１７】
枢接部材２４は、他の方式（たとえば、溶接、ねじによる締め付けなどの方式）によって、座部２０の無線キーボード２１側の面に固定されることができる。枢接部材２４によって、枢接台２２を座部２０の無線キーボード２１側の面に回転可能に結合する。枢接部材２４によって、枢接台２２は、回転することにより、座部２０に沿って置かれるか、または座部２０から離れる位置まで回転し、立つ状態になる。
【００１８】
このほか、本実施例において、枢接台２２上に２つのスライドレール２２１（図３は、そのうち一つのスライドレール２２１のみを示す）が設けられている。本発明において、スライドレール２２１の数を追加または削減することができる。スライドレール２２１の数の追加または削減は、本発明の特許請求の範囲を制限するものではない。
【００１９】
本実施例において、図４に示すように、保護カバー２３は、一方の面に、開口部２３０を有し、かつポータブル電子装置Ｔを収容する収容空間２３１が形成される。本実施例において、ポータブル電子装置Ｔは、タブレット形パソコンである。ただし、本発明はこれに限らない。保護カバー２３の寸法およびスタイルを変更し、電子書籍端末など他のポータブル電子装置Ｔを支えることができる。これらの変更は、すべて本発明の特許請求の範囲に含まれる。ポータブル電子装置Ｔは、無線方式（たとえば、ブルートゥース伝送など）によって、無線キーボード２１とオンライン接続することができる。
【００２０】
引き続き、図３を参照する。保護カバー２３は、収容空間２３１（図４に示す）と反対側の面に、かつスライドレール２２１に対応する位置に、スライド部２３２が設けられる。スライド部２３２は、スライドレール２２１を摺動することができる。保護カバー２３は、摺動可能に枢接台２２に設置される。
【００２１】
引き続き、図２を参照する。保護カバー２３は、一方の面と反対側の面に、支持部材２３３が設けられる。かつ座部２０は、支持部材２３３に対応する位置に、固定溝２００が設けられている。枢接台２２と保護カバー２３とが座部２０から離れる位置まで回転し、立つ状態になったとき、支持部材が２３３保護カバー２３から離れる一端は、固定溝２００に挿入し、座部２０の無線キーボード２１側の面に当接し、保護カバー２３の立つ状態を維持することができる。
【００２２】
このほか、図５、６を参照する。支持部材２３３を折り畳み、かつ枢接台２２を回転させて座部２０の無線キーボード２１側の面に沿って置く。この状態において、保護カバー２３は、座部２０の無線キーボード２１側の面に沿って置かれ、スライド部２３２とスライドレール２２１（図３に示す）とを介して無線キーボード２１を覆う位置まで摺動する（図７に示す）。
【００２３】
引き続き、図２に示すように、使用者がポータブル電子装置Ｔを保護カバー２３に収納し、無線キーボード２１をポータブル電子装置Ｔの入力装置として操作したいとき、保護カバー２３を移動する。保護カバー２３が無線キーボード２１を覆う位置から離れた後、枢接台２２と保護カバー２３とを同時に回転させ、かつ支持部材２３３によって、保護カバー２３を支えておき、ポータブル電子装置Ｔを座部２０の位置に立たせる。これにより、使用者がノートパソコンを操作する方式で、ポータブル電子装置Ｔと無線キーボード２１とを使用することができる。
【００２４】
さらに、図５に示すように、使用者が無線キーボード２１を使用しないとき、支持部材２３３を折り畳み、かつ保護カバー２３と枢接台２２とを回転させる。枢接台２２および保護カバー２３を座部２０に沿って置いた後（図６に示す）、保護カバー２３をスライドレール２２１（図３に示す）に沿って摺動させ、無線キーボード２１を覆う位置まで移動させ、電子装置用支持装置２とポータブル電子装置Ｔとを一体化の平板状（図７に示す）に形成する。これにより、使用者は、単純なタッチ方式で、ポータブル電子装置Ｔを操作することができる。そのほか、無線キーボード２１は、保護カバー２３により保護される。
【００２５】
本発明の構成によれば、使用者は簡単な操作のみで、電子装置用支持装置２からポータブル電子装置Ｔを取り出す必要がなく、電子装置用支持装置２によるポータブル電子装置Ｔの支えまたは支持方式を簡単に変更し、ポータブル電子装置Ｔの操作方式を迅速に変更することができ、ポータブル電子装置Ｔの操作利便性と使用の柔軟性を大幅に向上させることができる。これだけでなく、使用者がポータブル電子装置Ｔを使用しないとき、ポータブル電子装置Ｔのスクリーンが設けられている片側を折り畳み、保護カバー２３の内部に収納しておく。ポータブル電子装置Ｔと電子装置用支持装置２とを一体化に結合することにより、使用者は、それぞれキーボードとポータブル電子装置Ｔとを携行する必要がなく、電子装置用支持装置２とポータブル電子装置Ｔとを同時に携行することができる。携行の利便性が大きく向上し、ポータブル電子装置Ｔと電子装置用支持装置２の必要な空間を軽減することができる。
【００２６】
以上、本発明はこのような実施例に限定されるものではなく、発明の趣旨を逸脱しない範囲において、種々の形態で実施することができる。
【符号の説明】
【００２７】
２    ・・・電子装置用支持装置
２０  ・・・座部
２００・・・固定溝
２１  ・・・無線キーボード
２２  ・・・枢接台
２２０・・・穴
２２１・・・スライドレール
２３  ・・・保護カバー
２３０・・・開口部
２３１・・・収容空間
２３２・・・スライド部
２３３・・・支持部材
２４  ・・・枢接部材
２４０・・・軸
Ｔ    ・・・ポータブル電子装置
【図１】
2012256305.tif 000003
【図２】
2012256305.tif 000004
【図３】
2012256305.tif 000005
【図４】
2012256305.tif 000006
【図５】
2012256305.tif 000007
【図６】
2012256305.tif 000008
【図７】
2012256305.tif 000009